(57)【特許請求の範囲】
【請求項１】
筐体内に挿入された記録メディアを保持可能なホルダと、このホルダの奥部に配設された固定側コネクタと、モータを駆動源とする搬送機構とを備え、この搬送機構によって前記ホルダが前記筐体の手前位置と奥側位置との間で自動搬送されると共に、前記記録メディアの挿入方向先端側に設けられた可動側コネクタが前記ホルダに設けられた前記固定側コネクタに接続される記録メディア駆動装置であって、
前記搬送機構が、前記モータを駆動源として回転する第１の回動アームと、この第１の回動アームに連動回転して前記ホルダを駆動する第２の回動アームとを備え、これら第１および第２の回動アームを同軸上で回転可能に連結すると共に、前記第１および第２の回動アームが一体的に回転するように両者を互いに係合する方向へ弾性付勢し、かつ、前記可動側コネクタと前記固定側コネクタとの接続中に前記ホルダを前記筐体に対して固定状態とするロック部材を設け、前記可動側コネクタと前記固定側コネクタとの接続完了後に、前記ロック部材をアンロック位置に復帰させて前記ホルダの固定状態を解除するように構成したことを特徴とする記録メディア駆動装置。
【請求項２】
請求項１の記載において、前記ロック部材は前記ホルダに設けられており、前記ホルダへの前記記録メディアの挿入力により、前記ロック部材が、前記ホルダを前記筐体に対して固定状態となるロック位置に移動することを特徴とする記録メディア駆動装置。
【請求項３】
請求項１または２の記載において、前記記録メディアがその側面に凹部を有すると共に、前記ロック部材に前記凹部と係脱可能な受部が突設されており、これら凹部と受部の係合によって前記記録メディアの前記ホルダからの脱落が防止されることを特徴とする記録メディア駆動装置。
【請求項４】
請求項３の記載において、前記ロック部材に前記受部と反対方向へ突出する作動部が設けられており、前記記録メディアの挿入時に前記作動部が前記筐体に設けられた係止部に侵入することにより、前記ロック部材のロック位置への移動が許容されると共に、前記ホルダの自動搬送時に前記作動部が前記筐体の内側面に対向することにより、前記ロック部材のロック位置への移動が禁止されることを特徴とする記録メディア駆動装置。
【請求項５】
請求項２〜４のいずれか１項の記載において、前記ロック部材が前記ホルダに回動可能に支持されると共に、該ロック部材がばね部材によってアンロック位置方向へ弾性付勢されていることを特徴とする記録メディア駆動装置。
【発明の詳細な説明】
【技術分野】
【０００１】
本発明は記録メディア駆動装置に係り、特に、挿入方向の先端側に可動側コネクタが設けられた記録メディアをホルダに挿入・保持して自動搬送するようにした記録メディア駆動装置に関するものである。
【背景技術】
【０００２】
従来より、各種データが記録された記録メディアを手動操作でホルダに挿入・保持し、このホルダを搬送機構によって筐体の内部に自動搬送することにより、記録メディアの挿入方向先端側に設けられた可動側コネクタと筐体内に配設された固定側コネクタとを接続するようにした記録メディア駆動装置が知られている（例えば、特許文献１参照）。ここで、可動側コネクタは複数のクリップ状メス型端子を所定ピッチで配列したものからなり、固定側コネクタは複数のピン状オス型端子をメス型端子と同ピッチで配列したものからなる。また、搬送機構は、モータを駆動源として回転する減速歯車列と、この減速歯車列の最終段ギヤに噛合するラックとからなり、このラックはホルダの側面に固定されている。
【０００３】
このように概略構成された記録メディア駆動装置において、記録メディアをホルダに挿入・保持した後にモータが一方向へ回転すると、モータを駆動源とする搬送機構によりホルダが筐体の内部に向かって直線的に移動する。そして、ホルダが筐体内の装着位置まで移動すると、ホルダに保持された記録メディアの可動側コネクタに筐体内に配設された固定側コネクタが嵌挿し、記録メディアは装置内に装着された状態でコネクタ接続される。また、かかる記録メディアの装着状態でモータが上記と逆方向へ回転すると、ホルダが装着位置から筐体の前面に向かって直線的に移動するため、それに伴って可動側コネクタが固定側コネクタから抜け出て接続解除された後、記録メディアは排出可能な初期位置まで自動搬送される。
【特許文献１】特開２００４−３４８８１２号公報（第５−７頁、図４）
【発明の開示】
【発明が解決しようとする課題】
【０００４】
前述した従来の記録メディア駆動装置では、ホルダに保持された記録メディアをモータを駆動源とする搬送機構によって自動搬送し、その搬送力を利用して記録メディアの可動側コネクタを固定側コネクタに対して挿抜させるようにしているが、この動作を満足させるコネクタ挿抜力の規格値がかなり高い（例えば２kg・f）ため、モータのトルクが不十分であると可動側コネクタと固定側コネクタを確実に接続／解除することができなくなる。このような理由からモータのトルクを高める必要があるが、高トルクのモータを使用する場合、記録メディアの搬送スピードを速めることが困難であったり、搬送機構を含む各機構構造体に高い機械的強度が要求される等、種々の問題が発生する。
【０００５】
本発明は、このような従来技術の実情に鑑みてなされたもので、その目的は、モータを使用して記録メディアを自動搬送する場合でも確実なコネクタ接続を実現できる記録メディア駆動装置を提供することにある。
【課題を解決するための手段】
【０００６】
本発明は、ユーザが記録メディアを手動操作でホルダに挿入するときに、ホルダを一時的にロック状態にしたまま可動側コネクタと固定側コネクタとを接続し、かかるコネクタ接続後にホルダのロック状態を解除して搬送機構で自動搬送するようになし、この搬送機構が、モータを駆動源として回転する第１の回動アームと、この第１の回動アームに連動回転してホルダを駆動する第２の回動アームとを備え、これら第１および第２の回動アームを同軸上で回転可能に連結すると共に、第１および第２の回動アームが一体的に回転するように両者を互いに係合する方向へ弾性付勢した。
【発明の効果】
【０００７】
本発明の記録メディア駆動装置は、ユーザが記録メディアを手動操作でホルダに挿入するときに、ロック部材によりホルダを筐体に対して固定状態にすると共に、この固定状態で記録メディアの挿入力によって可動側コネクタを固定側コネクタに接続し、かかるコネクタ接続後にロック部材によるホルダの固定状態を解除して搬送機構でホルダを自動搬送するようにしたので、ユーザの手動操作力によって可動側コネクタと固定側コネクタとを確実に接続することができるのみならず、搬送機構の駆動源として低トルクのモータを使用することも可能となる。しかも、この搬送機構が、モータを駆動源として回転する第１の回動アームと、この第１の回動アームに連動回転してホルダを駆動する第２の回動アームとを備え、これら第１および第２の回動アームを同軸上で回転可能に連結すると共に、第１および第２の回動アームが一体的に回転するように両者を互いに係合する方向へ弾性付勢しているので、例えば、コネクタ接続後にユーザが記録メディアをホルダ内にさらに挿入したとき、第１の回動アームに対して第２の回動アームが回動することによってホルダの動きが吸収され、モータ側に連結された第１の回動アームに無理な力が作用することを防止できる。
【発明を実施するための最良の形態】
【０００８】
本発明は、筐体内に挿入された記録メディアを保持可能なホルダと、このホルダの奥部に配設された固定側コネクタと、モータを駆動源とする搬送機構とを備え、この搬送機構によって前記ホルダが前記筐体の手前位置と奥側位置との間で自動搬送されると共に、前記記録メディアの挿入方向先端側に設けられた可動側コネクタが前記ホルダに設けられた前記固定側コネクタに接続される記録メディア駆動装置であって、前記搬送機構が、前記モータを駆動源として回転する第１の回動アームと、この第１の回動アームに連動回転して前記ホルダを駆動する第２の回動アームとを備え、これら第１および第２の回動アームを同軸上で回転可能に連結すると共に、前記第１および第２の回動アームが一体的に回転するように両者を互いに係合する方向へ弾性付勢し、かつ、前記可動側コネクタと前記固定側コネクタとの接続中に前記ホルダを前記筐体に対して固定状態とするロック部材を設け、前記可動側コネクタと前記固定側コネクタとの接続完了後に、前記ロック部材をアンロック位置に復帰させて前記ホルダの固定状態を解除するように構成した。
【０００９】
このように構成された記録メディア駆動装置では、ユーザが記録メディアを手動操作でホルダに挿入するときに、ロック部材によりホルダを筐体に対して固定状態にすると共に、この固定状態で記録メディアの挿入力によって可動側コネクタを固定側コネクタに接続し、かかるコネクタ接続後にロック部材によるホルダの固定状態を解除して搬送機構でホルダを自動搬送するようにしたので、ユーザの手動操作力によって可動側コネクタと固定側コネクタとを確実に接続することができるのみならず、搬送機構の駆動源として低トルクのモータを使用することも可能となる。しかも、この搬送機構が、モータを駆動源として回転する第１の回動アームと、この第１の回動アームに連動回転してホルダを駆動する第２の回動アームとを備え、これら第１および第２の回動アームを同軸上で回転可能に連結すると共に、第１および第２の回動アームが一体的に回転するように両者を互いに係合する方向へ弾性付勢しているので、例えば、コネクタ接続後にユーザが記録メディアをホルダ内にさらに挿入したとき、第１の回動アームに対して第２の回動アームが回動することによってホルダの動きが吸収され、モータ側に連結された第１の回動アームに無理な力が作用することを防止できる。
【００１０】
上記の構成において、前記ロック部材は前記ホルダに設けられており、前記ホルダへの前記記録メディアの挿入力により、前記ロック部材が、前記ホルダを前記筐体に対して固定状態とするロック位置に移動することが好ましく、このように構成すると、ロック部材をロック位置とロック解除位置とへ移動させるための特別な駆動源が不要となる。
【００１１】
上記の各構成において、記録メディアがその側面に凹部を有すると共に、ロック部材にこの凹部と係脱可能な受部が突設されており、これら凹部と受部の係合によって記録メディアのホルダからの脱落が防止されることが好ましく、このような構成を採用すると、共通のロック部材にホルダのロック切替機能と記録メディアの脱落防止機能とを持たせて構造を簡略化することができる。
【００１２】
この場合において、ロック部材に受部と反対方向へ突出する作動部が設けられており、記録メディアの挿入時にこの作動部が筐体に設けられた係止部に侵入することにより、ロック部材のロック位置への移動が許容されると共に、ホルダの自動搬送時に作動部が筐体の内側面に対向することにより、ロック部材のロック位置への移動が禁止されることが好ましく、このような構成を採用すると、ホルダの自動搬送中に記録メディアが不用意に脱落することを確実に防止できる。
【００１３】
また、上記の構成において、ロック部材はホルダにどのように支持されていても良いが、ロック部材がホルダに回動可能に支持されると共に、該ロック部材がばね部材によってアンロック位置方向へ弾性付勢されていると、記録メディアの挿入動作に伴ってロック部材を安定的に駆動できて好ましい。
【実施例】
【００１５】
実施例について図面を参照して説明すると、図１は本発明の第１実施例に係る記録メディア駆動装置の待機状態を示す平面図、図２は該記録メディア駆動装置のメディア挿入初期状態を示す平面図、図３は該記録メディア駆動装置のメディア保持状態を示す平面図、図４は該記録メディア駆動装置のメディア搬送途中状態を示す平面図、図５は該記録メディア駆動装置のメディア搬送完了状態を示す平面図、図６は該記録メディア駆動装置に備えられるロック部材の動作説明図、図７（ａ）は該記録メディア駆動装置に使用される記録メディアの平面図、図７（ｂ）は該記録メディアの側面図である。
【００１６】
図１〜図５に示すように、本実施例に係る記録メディア駆動装置は、車室内の所定位置（例えばコンソール内）に設置される箱形の筐体１と、この筐体１の前面開口端に取り付けられた前面パネル２とを備えており、前面パネル２に開設された挿入口２ａから筐体１に対して記録メディア３を挿入／排出できるようになっている。図７に示すように、記録メディア３は記録媒体としてのハードディスク（図示省略）を合成樹脂製のカートリッジ４内に収納したものであり、カートリッジ４の挿入側端面には可動側コネクタ５が設けられている。また、カートリッジ４の左右両側面には、挿入／排出方向へ延びるガイド溝４ａと、クランプ用の凹部４ｂとが形成されている。
【００１７】
筐体１の内部には前面を開放したホルダ６が配置されており、挿入口２ａから筐体１内に挿入された記録メディア３はこのホルダ６に保持されるようになっている。ホルダ６内の最奥部には固定側コネクタ７が配設されており、記録メディア３の先端部がホルダ６の最奥部まで挿入されると、記録メディア３の可動側コネクタ５が固定側コネクタ７に接続されるようになっている。詳細な構造は図示省略されているが、可動側コネクタ５は複数のクリップ状メス型端子を所定ピッチで配列したものからなり、固定側コネクタ７は複数のピン状オス型端子をメス型端子と同ピッチで配列したものからなる。ホルダ６の上面には３本のピン６ａが植設されており、これらピン６ａが筐体１の上面に形成された直線状の各ガイド孔１ａに案内されることにより、ホルダ６は図３に示すメディア挿入位置と図５に示すメディア装着位置との間を筐体１の前後方向（Ｘ１−Ｘ２方向）へ移動可能となっている。ホルダ６の左右両側壁６ｃの内側部にはガイド突起６ｂが形成されており、これらガイド突起６ｂに前述したカートリッジ４の両ガイド溝４ａが案内されることにより、記録メディア３はホルダ６に対してスムーズに挿抜できるようになっている。また、ホルダ６の左右両側壁６ｃの外側において、このホルダ６の天面または底面には、ロック部材８が回転可能に支持されており、これらロック部材８はその回動軸に巻回された捩りコイルばね９の弾発力によってホルダ６の内方へ向けて付勢されている。ロック部材８の後述する受部８ａは、ホルダ６の左右両側壁６ｃに形成された透孔６ｄからホルダ６内に進入可能となっている。ロック部材８はホルダ６に挿入される記録メディア３によって回転動作されるようになっており、ここでは詳細な動作説明を省略するが、このロック部材８は、ホルダ６に挿入された記録メディア３を保持する脱落防止機能と、ホルダ６を筐体１に対して一時的に固定状態とするロック切替機能とを併せ持っている。
【００１８】
図６に示すように、このロック部材８の先端側には受部８ａと作動部８ｂが一体形成されており、これら受部８ａと作動部８ｂは互いに反対方向へ突出している。受部８ａはホルダ６の内方へ突出してガイド突起６ｂの手前（Ｘ１側）に位置しているが、その反対に作動部８ｂはホルダ６の外方へ向けて突出しており、筐体１の左右両側面には作動部８ｂに対向する係止孔１ｂが形成されている。受部８ａのＸ１側には、手前側に向かうにしたがってホルダ６から離れる方向へ傾斜する傾斜辺８ｃが形成されている。そして、記録メディア３の挿入時にカートリッジ４の側面が受部８ａを押圧することにより、ロック部材８が捩りコイルばね９の弾発力に抗してホルダ６の外方へ回転し、それに伴って作動部８ｂが係止孔１ｂに侵入することにより、ホルダ６が筐体１に対して前後方向への動きが規制された固定状態となる。
【００１９】
筐体１の図示左側方には低トルクのモータ１０が設置されており、このモータ１０の回転軸に取り付けられたウォームギヤ１０ａは減速歯車列１１の最初段ギヤに噛合している。減速歯車列１１の最終段ギヤは駆動部材１２の図示左側面に設けられたラック１３に噛合しており、駆動部材１２とホルダ６との間には回動アーム１４が介設されている。そして、モータ１０の回転がウォームギヤ１０ａと減速歯車列１１を介してラック１３の直線運動に変換されることにより、駆動部材１２が筐体１の前後方向（Ｘ１−Ｘ２方向）へ往復移動し、後述するように、この駆動部材１２の前後進に伴って回動アーム１４が回転してホルダ６をＸ１−Ｘ２方向へ搬送するようになっている。すなわち、これらモータ１０と減速歯車列１１と駆動部材１２および回動アーム１４によって、ホルダ６を筐体１の手前側のメディア挿入位置と奥側のメディア装着位置との間で自動搬送する搬送機構が構成されている。
【００２０】
回動アーム１４は回動軸１５を中心として筐体１の上面に回転可能に支持されており、この回動軸１５は駆動部材１２に穿設された逃げ孔１２ａに挿入されている。回動アーム１４は回動軸１５を介して同軸で連結された第１の回動アーム１６と第２の回動アーム１７とで構成されており、第１の回動アーム１６には第２の回動アーム１７の回動を規制する一対の規制壁１６ａ，１６ｂが折曲形成されている。これら第１および第２の回動アーム１６，１７の端部には引っ張りばね１８が張架されており、この引っ張りばね１８によって第２の回動アーム１７は第１の回動アーム１６の手前側の規制壁１６ａに圧接する方向へ付勢されている。また、第１の回動アーム１６に植設された駆動ピン１６ａは駆動部材１２に係合しており、第２の回動アーム１７の先端部に形成された長孔１７ａにはホルダ６に植設された中央のピン６ａが挿入されている。これにより、駆動部材１２の前後方向の移動が駆動ピン１６ａを介して第１の回動アーム１６に伝達されると、第１および第２の回動アーム１６，１７が回動軸１５を中心に一体的に回転し、それに伴って第２の回動アーム１７に連結されたホルダ６が筐体１の前後方向（Ｘ１−Ｘ２方向）へ搬送される。ただし、第１の回動アーム１６が停止しているときに、ホルダ６から第２の回動アーム１７に矢印Ｘ２方向の外力が作用すると、引っ張りばね１８の張力に抗して第２の回動アーム１７のみが第１の回動アーム１６の手前側の規制壁１６ａから奥側の規制壁１６ｂへ向かって回転するため、かかる外力によって第１および第２の回動アーム１６，１７が損傷しないようになっている。
【００２１】
また、筐体１の内部には第１および第２の検出スイッチ１９，２０が設置されており、これら第１および第２の検出スイッチ１９，２０からの信号に基づいてモータ１０が始動／停止するようになっている。第１の検出スイッチ１９は第２の回動アーム１７によってオン／オフ動作され、第２の検出スイッチ２０は駆動部材１２に設けられたラック１３の前端部によってオン／オフ動作される。
【００２２】
次に、上述のごとく構成された記録メディア駆動装置の動作を説明する。
【００２３】
図１は記録メディア３が筐体１内に挿入されていないイジェクト時の待機状態を示しており、この場合、ホルダ６は筐体１の最も手前側の前進位置にある。また、駆動部材１２は筐体１の後方寄りに位置しており、回動アーム１４の第２の回動アーム１７は第１の回動アーム１６の手前側の規制壁１６ａに圧接されている。さらに、図６（ａ）に示すように、ロック部材８はその受部８ａがホルダ６のメディア挿入経路内に突出したアンロック位置にあり、このアンロック位置で作動部８ｂが筐体１の内側面から離間して係止孔１ｂに対向しているため、ホルダ６は筐体１に対する固定状態が解除されている。
【００２４】
かかる待機状態において、図２に示すように、ユーザが記録メディア３を手動操作により挿入口２ａから筐体１内のホルダ６に挿入し始めると、まず、記録メディア３の挿入方向におけるカートリッジ４の先端側両隅部がロック部材８の傾斜辺８ｃに当接してこの傾斜辺８ｃを押圧するため、両ロック部材８が捩りコイルばね９の弾発力に抗してアンロック位置からホルダ６の外方へ向かって回転し始める。そして、カートリッジ４の側面が両ロック部材８の受部８ａを越える位置まで記録メディア３が挿入されると、図６（ｂ）に示すように、ロック部材８がロック位置まで大きく回転して作動部８ｂが係止孔１ｂ内に嵌入するため、ホルダ６が両ロック部材８を介して筐体１に係止された固定状態となる。ただし、この時点で記録メディア３の可動側コネクタ５はホルダ６内の固定側コネクタ７よりも手前位置にあり、可動側コネクタ５と固定側コネクタ７とは未接続状態となっている。
【００２５】
ユーザが記録メディア３をさらにホルダ６の内部へ挿入すると、記録メディア３の挿入力を受けて可動側コネクタ５に固定側コネクタ７が嵌挿されるため、可動側コネクタ５と固定側コネクタ７とが接続状態となる。前述したように、この時点でホルダ６は筐体１に対して固定状態となっているため、ユーザからの大きな挿入力によって可動側コネクタ５と固定側コネクタ７とを確実に接続することができる。そして、ユーザが記録メディア３をホルダ６の最奥位置まで挿入すると、図６（ｃ）に示すように、ロック部材８の受部８ａがカートリッジ４の凹部４ｂに入り込むことにより、ロック部材８が捩りコイルばね９の弾性力でロック位置からアンロック位置に向かって回転するため、ホルダ６の筐体１に対する固定状態が再び解除される。すなわち、可動側コネクタ５と固定側コネクタ７とが接続完了した時点でロック部材８によるホルダ６のロック状態が解除され、その代わりにロック部材８の受部８ａが凹部４ｂに入り込むため、図３のメディア挿入位置に示すように、記録メディア３が両ロック部材８によってホルダ６に保持された状態となる。この状態からユーザが記録メディア３を筐体１内にさらに押し込むと、ホルダ６がＸ２方向へ若干量移動して第２の回動アーム１７を図示反時計方向へ押圧するため、第２の回動アーム１７が第１の回動アーム１６に対して微少角度だけ回転し、それに伴って第１の検出スイッチ１９がオン動作してモータ１０を始動させる。
【００２６】
このようにしてモータ１０が一方向へ回転し始めると、モータ１０の回転がウォームギヤ１０ａと減速歯車列１１を介してラック１３の直線運動に変換されるため、図４に示すように、筐体１の後方寄りに位置していた駆動部材１２が手前側（Ｘ１方向）へ移動し、それに伴って回動アーム１４が回動軸１５を中心に図示反時計方向へ回転する。すなわち、図３のメディア挿入位置から駆動部材１２がＸ１方向へ移動開始すると、第１の回動アーム１６の駆動ピン１６ａがＸ１方向へ押圧されるため、第１および第２の回動アーム１６，１７が回動軸１５を中心に反時計方向へ一体的に回転し、第２の回動アーム１７に連結されたホルダ６がＸ２方向へ搬送される。そして、図５に示すように、ホルダ６が筐体１の最も奥側のメディア装着位置まで搬送されると、第２の検出スイッチ２０がラック１３の前端部によってオン動作されてモータ１０が停止し、ホルダ６に保持された記録メディア３は筐体１内に完全に収納された状態となる。なお、このときホルダ６に必要とされる駆動力は単に記録メディア３を搬送できる程度の小さな力で良いため、搬送機構の駆動源として低トルクのモータ１０を使用することができ、ホルダ６の搬送スピードも速めることができる。
【００２７】
また、装置内に装着された記録メディア３を排出する場合は、図示せぬイジェクト釦を操作すると、モータ１０が逆方向へ回転を開始して上記と逆の動作が行われ、ホルダ６が図５のメディア装着位置から図３のメディア挿入位置までＸ１方向へ移動するため、ユーザは記録メディア３を筐体１の外部に排出することができる。この場合は、ホルダ６が図３のメディア挿入位置まで搬送された後に、ユーザが記録メディア３を手動操作でホルダ６から引き抜くことにより、ロック部材８が記録メディア３の挿入時と逆の動作を行うことになる。すなわち、記録メディア３の引抜力によって可動側コネクタ５が固定側コネクタ７から抜け出るとき、ロック部材８は図６（ｃ）から図６（ｂ）に示すように回転してホルダ６を筐体１に対して固定状態となし、この固定状態をカートリッジ４の先端側両隅部がロック部材８の受部８ａから離れるまで維持した後、ロック部材８は図６（ａ）に示すアンロック位置に復帰する。
【００２８】
なお、ホルダ６が図３のメディア挿入位置と図５のメディア装着位置間を搬送中に、ロック部材８の作動部８ｂは係止孔１ｂから離れて筐体１の内側面に摺接しあるいは僅かな隙間を介して対向するため、ロック部材８の自由な回転が作動部８ｂと筐体１内側面との対向によって阻止されることになる。したがって、例えばホルダ６の搬送中にユーザが記録メディア３を無理に引き抜こうとし、それに伴ってロック部材８にホルダ６の外方へ回転しようとする力が作用した場合でも、ロック部材８の受部８ａがカートリッジ４の凹部４ｂから外れることはなく、記録メディア３のホルダ６からの脱落を確実に防止することができる。
【００２９】
図８は本発明の第２実施例に係る記録メディア駆動装置のメディア保持状態を示す要部平面図、図９は該記録メディア駆動装置のメディア搬送完了状態を示す要部平面図であり、図１〜図７に対応する部分には同一符号を付してある。
【００３０】
本実施例に係る記録メディア駆動装置が前述した第１実施例と相違する点は、モータ１０の駆動力をカム板２１を介して回動アーム１４（第１および第２の回動アーム１６，１７）に伝達するようにしたことにあり、それ以外の構成は基本的に同じである。このカム板２１は筐体１に回動可能に支持されており、その外周面に刻設されたギヤ部２１ａが減速歯車列１１の最終段ギヤに噛合することにより、モータ（図示省略）を駆動源として正逆両方向へ回転できるようになっている。カム板２１にはその回転軸２１ｂからの距離を異にするカム溝２２が設けられており、このカム溝２２に第１の回動アーム１６に植設された駆動ピン１６ａが係合している。カム溝２２はカム板２１の回転方向に沿って所定角度範囲で連続しているが、カム溝２２の一端２２ａは回転軸２１ｂの近傍にあり、カム溝２２の他端２２ｂは回転軸２１ｂから最も遠い距離にある。
【００３１】
このように構成された記録メディア駆動装置では、図８に示すように、記録メディアがホルダ６に挿入・保持されたメディア挿入位置において、前述した第１実施例と同様に記録メディア３の可動側コネクタ５とホルダ６内の固定側コネクタ７とは接続状態にあり、また、第１の回動アーム１６の駆動ピン１６ａはカム板２１に設けられたカム溝２２の一端２２ａに係合している。この状態からモータを駆動源としてカム板２１が図示反時計方向へ回転すると、第１の回動アーム１６側の駆動ピン１６ａがカム溝２２内を一端２２ａから他端２２ｂに向かってトレースするため、図９に示すように、回動アーム１４（第１および第２の回動アーム１６，１７）が回動軸１５を中心に図示反時計方向へ回転してホルダ６をメディア装着位置まで搬送する。
【００３２】
なお、上記実施例では、記録メディア３として磁気ディスクであるハードディスクを内蔵したカートリッジ４を例示したが、半導体メモリや光ディスクを内蔵するカード型あるいはカートリッジ型記録メディア等であっても良い。
【００３３】
また、ロック部材８は記録メディア３の挿入力によってロック位置とアンロック位置との間を移動するものに限らず、記録メディア３が図３に示す位置まで挿入されて可動側コネクタ５と固定側コネクタ７とが接続されたことを電気的に検知し、その検知結果に基づいてロック部材８をロック位置からアンロック位置へ移動させるようにしても良い。
【図面の簡単な説明】
【００３４】
【図１】本発明の第１実施例に係る記録メディア駆動装置の待機状態を示す平面図である。
【図２】該記録メディア駆動装置のメディア挿入初期状態を示す平面図である。
【図３】該記録メディア駆動装置のメディア保持状態を示す平面図である。
【図４】該記録メディア駆動装置のメディア搬送途中状態を示す平面図である。
【図５】該記録メディア駆動装置のメディア搬送完了状態を示す平面図である。
【図６】該記録メディア駆動装置に備えられるロック部材の動作説明図
【図７】該記録メディア駆動装置に使用される記録メディアの説明図である。
【図８】本発明の第２実施例に係る記録メディア駆動装置のメディア保持状態を示す要部平面図である。
【図９】該記録メディア駆動装置のメディア搬送完了状態を示す要部平面図である。
【符号の説明】
【００３５】
１  筐体
１ｂ  係止孔
２  前面パネル
２ａ  挿入口
３  記録メディア
４  カートリッジ
４ａ  ガイド溝
４ｂ  凹部
５  可動側コネクタ
６  ホルダ
６ａ  ピン
６ｂ  ガイド突起
７  固定側コネクタ
８  ロック部材
８ａ  受部
８ｂ  作動部
９  捩りコイルばね
１０  モータ
１１  減速歯車列
１２  駆動部材
１３  ラック
１４  回動アーム
１５  回動軸
１６  第１の回動アーム
１６ａ  駆動ピン
１７  第２の回動アーム
１７ａ  長孔
１８  引っ張りばね
２１  カム板
２１ａ  ギヤ部
２２  カム溝
【図１】
0004473191.tif 000002
【図２】
0004473191.tif 000003
【図３】
0004473191.tif 000004
【図４】
0004473191.tif 000005
【図５】
0004473191.tif 000006
【図６】
0004473191.tif 000007
【図７】
0004473191.tif 000008
【図８】
0004473191.tif 000009
【図９】
0004473191.tif 000010